(57)【要約】【課題】  被介護者にとって快適で、また、介護者が素早く簡便に使用でき、しかも身体を清拭した後の布タオルの処理を容易にすることができる清拭用ウエット布タオルのディスペンサを提供する。【解決手段】  清拭用ウエット布タオルのディスペンサであって、撥水性素材からなり、消毒されたウエット布タオルが袋状部分に密封されて区分され、この袋状部分毎に切り離し可能に帯状に連設されたパック群８と、このパック群８の各パックを順次個別に切り離して取り出すことができる取り出し口１０を有する容器１と、この容器１内の各パックのウエット布タオルを加熱する加熱（保温）する加熱（保温）手段とを具備する。【選択図】  図１
2006204575.tif 000002
【特許請求の範囲】
【請求項１】
（ａ）撥水性素材からなり、消毒されたウエット布タオルが袋状部分に密封されて区分され、該袋状部分毎に切り離し可能に帯状に連設されたパック群と、
（ｂ）該パック群の各パックを順次個別に切り離して取り出すことができる取り出し口を有する容器と、
（ｃ）該容器内の各パックのウエット布タオルを加熱する加熱手段とを具備することを特徴とする清拭用ウエット布タオルのディスペンサ。
【請求項２】
請求項１記載の清拭用ウエット布タオルのディスペンサにおいて、前記加熱手段は、温度を調整する温度調整手段を具備することを特徴とする清拭用ウエット布タオルのディスペンサ。
【請求項３】
請求項１記載の清拭用ウエット布タオルのディスペンサにおいて、前記容器の取り出し口を前記容器の上部に形成し、前記取り出し口の下部に洗浄液用容器を収納することを特徴とする清拭用ウエット布タオルのディスペンサ。
【請求項４】
請求項１記載の清拭用ウエット布タオルのディスペンサにおいて、前記パック群を前記容器内にロール状に配置することを特徴とする清拭用ウエット布タオルのディスペンサ。
【請求項５】
請求項１記載の清拭用ウエット布タオルのディスペンサにおいて、前記パック群を前記容器内に折り畳み状に配置することを特徴とする清拭用ウエット布タオルのディスペンサ。
【請求項６】
請求項１記載の清拭用ウエット布タオルのディスペンサにおいて、前記容器を保持する台車と、該台車に連結される本体部と、該本体部に連結される移動用把手からなる可搬型の移動装置を具備する清拭用ウエット布タオルのディスペンサ。
【発明の詳細な説明】
【技術分野】
【０００１】
本発明は、清拭用ウエット布タオルのディスペンサに関するものである。
【背景技術】
【０００２】
布タオルは、肌触りがよく、安価であるので、介護用としても一般に使用されている。
【０００３】
その布タオルを、例えば、被介護者の身体の清拭に使用する場合には、お湯などで濡らして温めて、適温にしてから用いる。清拭した後の布タオルは、特別の容器に入れて運んで処理するようにしている。
【０００４】
なお、介護における清拭には、（１）被介護者の身体の汚れ（排泄物によって特に汚れている部分等）を取り除き、清潔を保ち、感染を予防する（例えば、膀胱炎などの尿路感染の予防等）、（２）悪臭、身体のかゆみや皮膚疾患を予防する、（３）温かい布タオルで皮膚を刺激し、摩擦することで血行を良くし、褥瘡（床ずれ）を予防する、という目的及び効果がある。
【０００５】
一方、これまでに、単一片の材料を折り曲げることにより製造される拭き布分配用容器（下記特許文献１参照）、脱臭装置を備えたペーパータオルディスペンサ（下記特許文献２参照）、クリーニングティッシュ用のディスペンサ（下記特許文献３参照）、タオル収納ボックスの下から取出し口にパイプローラーをつけたタオル収納ボックス（下記特許文献４参照）、シートを必要な量だけ取り出すことを可能にし、また次回のシートの引き出しを確実に行うシート連結体及びシート分配器（下記特許文献５参照）が提案されている。
【特許文献１】特表２００４−５２３４３３号公報
【特許文献２】特開２００４−１５４５８０号公報
【特許文献３】特表２００４−５０５７４３号公報
【特許文献４】特開２００４−２４９０４８号公報
【特許文献５】特開２００３−３２５３７７号公報
【発明の開示】
【発明が解決しようとする課題】
【０００６】
上述したように、一般に、被介護者の身体の清拭用としてはウエット布タオルが有用であるが、その場合、身体の清拭後に、使用済みの布タオルを簡便に処理できることが望ましい。
【０００７】
特に、身体に障害をきたした被介護者（例えば、老齢者）の介護において、清拭時に介護者が素早く簡便に使用でき、かつ、清潔であり、被介護者にとっても快適で、しかも身体を清拭した後の布タオルを即廃棄することができる清拭ユニットが強く望まれている。
【０００８】
しかしながら、上記した従来のタオルのディスペンサは、被介護者にとって満足のいくものではなく、また、介護者にとっても利用しやすいものではなかった。
【０００９】
本発明は、上記状況に鑑みて、被介護者にとって快適で、また、介護者が素早く簡便に使用でき、しかも身体を清拭した後の布タオルの廃棄を容易にすることができる清拭用ウエット布タオルのディスペンサを提供することを目的とする。
【課題を解決するための手段】
【００１０】
本発明は、上記目的を達成するために、
〔１〕清拭用ウエット布タオルのディスペンサであって、撥水性素材からなり、消毒されたウエット布タオルが袋状部分に密封されて区分され、この袋状部分毎に切り離し可能に帯状に連設されたパック群と、このパック群の各パックを順次個別に切り離して取り出すことができる取り出し口を有する容器と、この容器内の各パックのウエット布タオルを加熱する加熱手段とを具備することを特徴とする。
【００１１】
〔２〕上記〔１〕記載の清拭用ウエット布タオルのディスペンサにおいて、前記加熱（保温）手段は、温度を調整する温度調整手段を具備することを特徴とする。
【００１２】
〔３〕上記〔１〕記載の清拭用ウエット布タオルのディスペンサにおいて、前記容器の取り出し口を前記容器の上部に形成し、前記取り出し口の下部に洗浄液用容器を収納することを特徴とする。
【００１３】
〔４〕上記〔１〕記載の清拭用ウエット布タオルのディスペンサにおいて、前記パック群を前記容器内にロール状に配置することを特徴とする。
【００１４】
〔５〕上記〔１〕記載の清拭用ウエット布タオルのディスペンサにおいて、前記パック群を前記容器内に折り畳み状に配置することを特徴とする。
【００１５】
〔６〕上記〔１〕記載の清拭用ウエット布タオルのディスペンサにおいて、前記容器を保持する台車と、この台車に連結される本体部と、この本体部に連結される移動用把手からなる可搬型の移動装置を具備する。
【発明の効果】
【００１６】
本発明によれば、以下のような効果を奏することができる。
【００１７】
（１）清拭時に、介護者が簡便に使用でき、かつ、被介護者に快適な使用感を与えることができる。
【００１８】
（２）身体を清拭した後の布タオルの処理は、切り離された撥水性素材（例えば、ビニール袋やプラスチック袋）からなるパックに収めて捨てるだけでよく、その処理を容易にすることができる。
【００１９】
（３）介護用としてだけではなく、様々な用途に使用できる。例えば、赤ちゃんのおむつ交換時に使用すれば、赤ちゃんのおしりを清潔に保つことにより、おむつかぶれなどを防ぐことができる。
【発明を実施するための最良の形態】
【００２０】
本発明の清拭用ウエット布タオルのディスペンサは、撥水性素材からなり、消毒されたウエット布タオルが袋状部分に密封されて区分され、この袋状部分毎に切り離し可能に帯状に連設されたパック群と、このパック群の各パックを順次個別に切り離して取り出すことができる取り出し口を有する容器と、この容器内の各パックのウエット布タオルを加熱する加熱手段とを具備する。
【実施例】
【００２１】
以下、本発明の実施の形態について詳細に説明する。
【００２２】
図１は本発明の第１実施例を示す清拭用ウエット布タオルのディスペンサの構成図であり、図１（ａ）はその断面図、図１（ｂ）は前蓋及び上蓋を開いた状態を示す断面図、図２はその上蓋を開いた状態での内部を示す上面図、図３はその清拭用ウエット布タオルのディスペンサの斜視図、図４はその清拭用ウエット布タオルのディスペンサの制御装置のブロック図、図５はその清拭用ウエット布タオルが連設されたパック群の各パック内に収納されている状態を展開した図である。
【００２３】
これらの図において、１は清拭用ウエット布タオルのディスペンサの容器であり、この容器１は、底面板１Ａ、背面板１Ｂ、側面板１Ｃ、押さえ板１１Ａ付きの水平な固定板１１、上蓋２、前蓋５からなっている。また、容器１内は仕切り部材１２によって仕切られており、清拭用ウエット布タオルがロール状に連設されたパック群８が収納される収納部Ａと、後述する洗浄液用容器（シャワー・ボトル：Ｓｈｏｗｅｒ  Ｂｏｔｔｌｅ）１４の収納部Ｂとに分けられている。１５は側面板１Ｃに形成されるパック量の表示窓である。
【００２４】
また、容器の上蓋２には把手３が設けられており、背面板１Ｂと上蓋２とに取り付けられている上蓋２の開閉を可能にする蝶番４によって、図１（ｂ）に示すように、上蓋２を上方に開くことができる。
【００２５】
また、容器の前蓋５には把手６が設けられており、底面板１Ａと前蓋５とに取り付けられている前蓋５の開閉を可能にする蝶番７によって、図１（ｂ）に示すように、前蓋５を前方に開くことができる。
【００２６】
容器１内に配置される清拭用ウエット布タオルがロール状に連設されたパック群８は、そのパック群８の支持軸９によって保持される。この支持軸９は、上方から力を加えると容易に折れ、力を除くとすぐ元に戻る構造になっており、ロール状の連設されたパック群８を上から挿入するとその支持軸９は折れて、ロール状の連設されたパック群８の中心穴に至ると起立してロール状の連設されたパック群８を回転可能に支持する。このパック群８は取り出し口１０より取り出すことができる。この取り出し口１０は、上部は押さえ板１１Ａ付きの水平な固定板１１、下部は曲面が形成された仕切り部材１２の一部、側部は容器の側面板１Ｃの一部によってそれぞれ形成されている。なお、清拭用ウエット布タオルがロール状に連設されたパック群８の終端部には、清拭用ウエット布タオルが封入されていない、単なる撥水性素材（ビニール、プラスチック）の終端部分８Ａは、二重のシートのみを設けておくことにより、清拭用ウエット布タオルの連設されたパック群８を全て取り出し口１０から取り出して使い切ることができるようにするのが望ましい。更に、底面板１Ａの収納部Ａの上面、背面板１Ｂの内面及び側面板１Ｃの収納部Ａの内面には加熱装置（シート状加熱体など）１３が配置されている。なお、収納部Ｂ内に加熱装置を設けて、後述する洗浄液（清浄な水でよい）を入れた洗浄液用容器（シャワー・ボトル）１４を加熱するようにしてもよい。
【００２７】
また、図１〜３に示すように、容器の背面板１Ｂの後方には制御箱２１が配置される。図４に示すように、この制御箱２１中に制御装置２２、商用電源からの電力供給用差し込みプラグ２３、温度センサー２４、温度調整摘み２５、プラグ２３からの電力の供給が可能な加熱装置用電源２６である。なお、加熱装置用電源２６は直接プラグ２３から外部電源を利用するようにしてもよいが、後述する可搬型清拭用ウエット布タオルのディスペンサの場合は、移動中には外部電源からの電力供給ができないので、予めプラグ２３からの商用電力の供給により加熱装置用電源２６を充電しておくことで、加熱装置を動作させ、パック群８を保温しておくようにすることが望ましい。
【００２８】
また、ロール状に配置される清拭用ウエット布タオルの連設されたパック群８の残りが少なくなる箇所に表示（パックの一部に色付けや文字など）を施して、残量が少なくなったことを介護者に報知するようにしてもよい。
【００２９】
また、必要に応じてパック量の表示装置２７などを備えるようにしてもよい。ここでは、簡便に、側面板１Ｃにパック量の表示窓１５として横方向に長い覗き窓を形成して、ロール状に配置される清拭用ウエット布タオルの連設されたパック群８の減り具合を目視できるようにしている。
【００３０】
また、清拭用ウエット布タオルの入ったパックの取り出し数をパック３１の通路においたセンサーでカウントするようにしてもよい。
【００３１】
ここで、清拭用ウエット布タオルのパック群８は、図５に示すように、折り畳まれた清拭用ウエット布タオル３２が１枚ずつ袋状部分のパック３１に封入され、このようなパック３１が帯状に連設された構成となっている。連設されたパック３１間には側面が閉じた二枚の撥水性素材を溶着により封止した幅を有する密封部３３が形成され、その密封部３３にミシン目３４を形成する。したがって、ミシン目３４の部分で密封状態の袋状部分のパック３１を簡単に切り離すことができる。また、各パック３１内の清拭用ウエット布タオル３２にはそれぞれ消毒液が浸されている。パック３１は、ミシン目３４で切り離した後、封入されている清拭用ウエット布タオル３２の厚みを利用して袋状パック３１の下部（下部撥水性素材片）と上部（上部撥水性素材片）とを摘んで引っ張ることによりミシン目３４からパック３１を容易に開くことができ、パック３１から温かい状態の清拭用ウエット布タオル３２を取り出し清拭することができる。
【００３２】
なお、パック３１を開くまでは、パック３１は密封状態に保たれるため、消毒液が漏れだすことはない。パック３１は使用後の清拭用ウエット布タオル３２を容易に収めることができ、素早く清潔に廃棄することができる。このようなパック３１が帯状に連設されたパック群８が容器１内にロール状に配置されており、そのロール状のパック群８は取り出し口１０から引き出され、そのミシン目３４でカットされて、一つのパック３１として供給される。その際にミシン目３４でカットされた次のパック３１の端部が、取り出し口１０から少し飛び出すので、次にパック３１を取り出したい場合には、そのカットされた端部を引き出すことによって容易に取り出すことができる。なお、取り出し口１０の前蓋５の上端部には取り出されるパック３１をやや下方に引っ張ることによりパック３１を切り離し易くするエッジを形成することが望ましい。
【００３３】
また、老人や身障者などの被介護者を清拭する場合に、冷たい消毒液が浸されているウエット布タオルを使用すると、特に、冬季においては、不快感を与えることになるので、清拭用ウエット布タオル３２を温かい状態に加熱（保温）しておくようする。そのために、収納部Ａの底面板１Ａ、背面板１Ｂ、収納部Ａの側面板１Ｃの内面に加熱装置１３を設け、容器１内のパック群８を温めるようにしている。
【００３４】
さらに、取り出し口１０の下部には洗浄液（清浄な水でよい）を入れた洗浄液用容器（シャワー・ボトル）１４を収納できる収納部Ｂが形成されており、仕切り部材１２として薄い部材や網目を有する部材を用いることにより、容器１内の加熱装置１３からの熱により、収納部Ｂ内も温めて洗浄液用容器内の洗浄液も温めて用いることができるようにしている。この洗浄液用容器１４は複数本収納できるようにしておくと、清拭面積が広いような場合や汚れの多い場合に、保温された複数本の洗浄液用容器１４内の洗浄液を手軽に利用することができる。
【００３５】
また、取り出し口１０の内部は所定の長さを有しており、少なくとも１個のパック３１は取り出し口１０に保持できるように構成している。また、加熱度を高めるために、その取り出し口１０のパック３１との接触面にも加熱装置を配置するようにしてもよい。
【００３６】
なお、容器１内の加熱温度は調整できるようにしている。例えば、夏期には、温度は低めでよいし、冬期には高めに設定して、パック３１内の清拭用ウエット布タオル３２の温度を調整する。この加熱装置１３の温度は制御箱２１の温度調整摘み２５によって調整することができる。
【００３７】
また、必要に応じてセンサーをパック３１の通路に配置して、取り残されたパック数をカウントして、パック量の表示装置２７にパック３１の残量を表示するようにしてもよい。
【００３８】
因みに、このようにして構成される清拭用ウエット布タオルのディスペンサの寸法は、例えば、外形寸法は、幅２６ｃｍ、奥行き４４．５ｃｍ、高さ２８ｃｍ、内積は、幅１８．５ｃｍ、奥行き３７ｃｍ、高さ２３ｃｍである。
【００３９】
図６は本発明の第２実施例を示す清拭用ウエット布タオルのディスペンサの斜視図、図７はその清拭用ウエット布タオルのディスペンサの断面図、図８は本発明の第２実施例を示す清拭用ウエット布タオルのディスペンサの折り畳み状のパック群の終端部の使用態様を示す模式図である。
【００４０】
この実施例では、上記第１実施例で示したロール状のパック群８ではなく、撥水性素材からなる連設された折り畳み状のパック群４１を用いるようにしている。この場合、図８に示すように、その連設された折り畳み状のパック群４１の終端部分４１Ａには、清拭用ウエット布タオルの封入されていない、単なる撥水性素材からなる二重のシートのみを設けておくことにより、清拭用ウエット布タオルの連設された折り畳み状のパック群４１を全て取り出し口１０より取り出して使い切ることができるようにするのが望ましい。その折り畳み状のパック群４１の終端部４１Ａの端部には円筒状の止部が形成され、その円筒状の止部が止めピン４２に装着されて固定されるように構成されている。また、連設された折り畳み状のパック群４１を案内する案内用ローラ４３を備えるようにしている。
【００４１】
この実施例では、折り畳み状のパック群４１を収納するようにしたので、パック群のコスト及び構成が簡素化される。
【００４２】
なお、この実施例でも、側面板１Ｃに縦方向に長い覗き窓を形成して、清拭用ウエット布タオルの連設されたパック群４１の減り具合を目視するようにしてもよい。
【００４３】
また、この実施例では、案内用ローラ４３の回転数をカウントすることにより、パック群４１の残量を表示することもできる。
【００４４】
上記した清拭用ウエット布タオルのディスペンサは、被介護者の近くに常時配置しておく、常備型のものとして利用することができる。この常備型の場合は、家庭における介護者がこの常備型の清拭用ウエット布タオルのディスペンサで、温かい状態の消毒されたパックを適宜取り出して、被介護者の体を清拭することができる。もちろん、軽度の被介護者の場合には、被介護者自らが、常備型の清拭用ウエット布タオルのディスペンサから自分で、温かい状態の消毒されたパックを適宜取り出して使用することもできる。
【００４５】
しかしながら、重症の被介護者の場合で、定期的に介護者が被介護者宅を訪問するような場合には、清拭用ウエット布タオルのディスペンサを可搬型にし、介護者がこれを訪問先に移動できるようにすると便利である。特に、小さい子供がいる場合など、かかる清拭用ウエット布タオルのディスペンサを悪戯されたりすると困るような場合には、介護者が訪問先へ持ち運びできるようにすることが望ましい。
【００４６】
図９は本発明の第３実施例を示す可搬型清拭用ウエット布タオルのディスペンサの斜視図、図１０はその可搬型清拭用ウエット布タオルのディスペンサの移動態様を示す図である。
【００４７】
この実施例では、上記した清拭用ウエット布タオルのディスペンサ５１を、４輪の車輪５２を有する台車５３と、この台車５３に連設される本体部５４と、この本体部５４に連設される把手５５からなるように構成している。
【００４８】
このような、構成の可搬型清拭用ウエット布タオルのディスペンサとすることで容易に清拭用ウエット布タオルのディスペンサ５１を移動させることができる。多数の介護者の清拭を行う介護施設のような場合には、何台かの可搬型清拭用ウエット布タオルのディスペンサを用意して、介護者がこれを移動しながら清拭を行うことで、ディスペンサの台数を減らすことができ、コスト削減につながる。
【００４９】
図１１は本発明の第４実施例を示す台車を有する可搬型清拭用ウエット布タオルのディスペンサの斜視図、図１２はその可搬型清拭用ウエット布タオルのディスペンサの使用態様を示す図である。
【００５０】
この実施例では、４輪の車輪６２付きの台車６３上に清拭用ウエット布タオルのディスペンサ６１を搭載するようにしている。その台車６３には引き出し６４が設けられ、その引き出し６４内には、介護者が清拭作業を行う際に使用する手袋などを収納しておくことにより、直ぐに清拭作業に着手することができる。
【００５１】
上記したように、本発明は、特に、体が不自由な被介護者の体の清拭を行う場合に、温かい布タオルで清拭することができ、その清拭後の汚れた布タオルを、その布タオルが収納されていたパックの中に包み込んで廃棄することができるものであり、まさに、介護者・被介護者の両方にとって有用なものであると言える。
【００５２】
かかる清拭用ウエット布タオルのディスペンサの登場により、ともすれば嫌悪感を持たれがちな、排泄物の処理も清潔で簡便に行うことができる。
【００５３】
特に、人はいずれは、老齢化することになるが、本発明の清拭用ウエット布タオルのディスペンサは、介護者、被介護者の両方にとって福音となるものである。
【００５４】
なお、本発明は上記実施例に限定されるものではなく、本発明の趣旨に基づいて種々の変形が可能であり、これらを本発明の範囲から排除するものではない。
【産業上の利用可能性】
【００５５】
本発明の清拭用ウエット布タオルのディスペンサは、被介護者の清拭用タオルの供給装置として利用可能である。
【図面の簡単な説明】
【００５６】
【図１】本発明の第１実施例を示す清拭用ウエット布タオルのディスペンサの構成図である。
【図２】本発明の第１実施例を示す清拭用ウエット布タオルのディスペンサの上蓋を開いた状態での内部を示す上面図である。
【図３】本発明の第１実施例を示す清拭用ウエット布タオルのディスペンサの斜視図である。
【図４】本発明の第１実施例を示す清拭用ウエット布タオルのディスペンサの制御装置のブロック図である。
【図５】本発明の第１実施例を示す清拭用ウエット布タオルが連設されたパック群の各パック内に収納されている状態を展開した図である。
【図６】本発明の第２実施例を示す清拭用ウエット布タオルのディスペンサの斜視図である。
【図７】本発明の第２実施例を示す清拭用ウエット布タオルのディスペンサの断面図である。
【図８】本発明の第２実施例を示す清拭用ウエット布タオルのディスペンサの折り畳み状のパック群の終端部の使用態様を示す模式図である。
【図９】本発明の第３実施例を示す可搬型清拭用ウエット布タオルのディスペンサの斜視図である。
【図１０】本発明の第３実施例を示す可搬型清拭用ウエット布タオルのディスペンサの移動態様を示す図である。
【図１１】本発明の第４実施例を示す台車を有する可搬型清拭用ウエット布タオルのディスペンサの斜視図である。
【図１２】本発明の第４実施例を示す台車を有する可搬型清拭用ウエット布タオルのディスペンサの使用態様を示す図である。
【符号の説明】
【００５７】
１    清拭用ウエット布タオルのディスペンサの容器
１Ａ    底面板
１Ｂ    背面板
１Ｃ    側面板
２    上蓋
３，６，５５    把手
４，７    蝶番
５    前蓋
８    清拭用ウエット布タオルがロール状に連設されたパック群
８Ａ，４１Ａ    終端部分（二重のシート）
９    支持軸
１０    取り出し口
１１    水平な固定板
１１Ａ    押さえ板
１２    仕切り部材
１３    加熱装置（シート状加熱体など）
１４    洗浄液用容器（シャワー・ボトル）
１５    パック量の表示窓
Ａ    パック群の収納部
Ｂ    洗浄液用容器の収納部
２１    制御箱
２２    制御装置
２３    商用電源からの電力供給用差し込みプラグ
２４    温度センサー
２５    温度調整摘み
２６    商用電源からの電力供給が可能な加熱装置用電源
２７    パック量の表示装置
３１    パック
３２    清拭用ウエット布タオル
３３    密封部
３４    ミシン目
４１    連設された折り畳み状のパック群
４１Ａ    折り畳み状のパック群の終端部
４２    止めピン
４３    案内用ローラ
５１，６１    清拭用ウエット布タオルのディスペンサ
５２，６２    ４輪の車輪
５３，６３    台車
５４    本体部
６４    引き出し
【図１】
2006204575.tif 000003
【図２】
2006204575.tif 000004
【図３】
2006204575.tif 000005
【図４】
2006204575.tif 000006
【図５】
2006204575.tif 000007
【図６】
2006204575.tif 000008
【図７】
2006204575.tif 000009
【図８】
2006204575.tif 000010
【図９】
2006204575.tif 000011
【図１０】
2006204575.tif 000012
【図１１】
2006204575.tif 000013
【図１２】
2006204575.tif 000014